(57)【特許請求の範囲】
【請求項１】
表示部を有する携帯通信機器において、
上記表示部が露出する表示用窓部を表面側筐体に有する表裏分割式の表示用筐体を備え、
上記表示用筐体の裏面側筐体の内面に接するようにマグネシウムダイキャスト製の補強フレームが設けられ、
上記補強フレームは、上記表示部を収容する表示部収容凹部を有し、
上記表示部は、上記補強フレームの表示部収容凹部の側壁に係止するための係止爪を外周に有する表示用パネルと、該表示用パネル裏面側に取り付けられた表示用基板とを備え、
上記補強フレームの長手方向中間部には、上記表示部収容凹部の底面から表面側に突出し、幅方向に延びる補強フレームの長手方向から見て弧形状の表示部保持用リブが設けられ、
上記表示用パネルが上記係止爪で上記補強フレームに係止された状態で、上記表示部が表示部保持用リブにその幅方向両端部においてのみ線接触し、上記表示部が撓んでも該補強フレームには、該幅方向両端部以外で当接しないことを特徴とする携帯通信機器。
【請求項２】
請求項１に記載の携帯通信機器において、
上記表示部の表示用パネルと反対側には、サブ表示用パネルが設けられ、
上記補強フレームの表示部収容凹部の底面にフレーム側サブ表示用窓部が形成されると共に、上記裏面側筐体に筐体側サブ表示用窓部が形成され、該筐体側サブ表示用窓部から上記サブ表示用パネルが露出していることを特徴とする携帯通信機器。
【発明の詳細な説明】
【技術分野】
【０００１】
本発明は、携帯電話機等の表示部を有する携帯通信機器の構造に関し、特にその表示部の固定構造に関する。
【背景技術】
【０００２】
従来より、携帯通信機器、特に携帯電話機は、入力ボタンにより入力した情報を表示したり、通信相手からの用件内容を表示するためのＬＣＤ（液晶）等表示部（液晶表示部、有機ＥＬ表示部、無機ＥＬ表示部その他の表示部）を有する。折畳み式の携帯電話機は、折り畳んだ状態で外部からの通信相手を確認したり、時計の時刻を確認できるようにサブ液晶表示部も有している。
【０００３】
携帯電話機は、携帯するが故に持ち運んで使用されるが、不意に床や地面に落としてしまうことがしばしばある。低い位置からの落下では外観に傷をつけるのみで性能に影響ないことが多いが、高い位置からの落下や、走っているときに落下すれば、床や地面に激しく衝突し、基板や液晶等表示部にクラックが発生することがある。そのために、筐体の内部にリブ等を設けて強度向上を図ったり、軽く且つ小さくするために、内部の構造体において、マグネシウムダイキャスト製品であるＡＺ９１Ｄ（主として、Ａｌ  ９％、Ｚｎ  １％、残りＭｇの合金）を使用して強度向上を図っている。
【０００４】
ところで、ＡＺ９１Ｄの主な成分は、マグネシウムであり、マグネシウムは海水中のナトリウムに続いて多く、１リットル当たり１．３ｇ含まれる。それ故、入手が容易である。また、３００℃程度から急激に延性が増し、加工性がよくなるといわれ、電気的性質としては、電位が低く、鉄やアルミニウム等異種の金属と直接接触しているとマグネシウムが先に溶出される。その他、振動吸収性が高い、切削抵抗が小さく加工し易い、耐くぼみ性がよい、温度変化による寸法安定性がよい、広い周波帯域で電磁波遮断性がよい、溶接性がよい、人体に無害といった多くの特徴を持っているため、携帯電子機器や自動車部品に多く利用されるようになってきている。
【０００５】
例えば、特許文献１では、キャビネットにおけるブラウン管を支える部分に設けた複数列の格子状のリブの交叉する箇所に突出形成されたボスとブラウン管と接触する側のリブとのコーナー部分が、落下等の衝撃によって割れたり、破断が生じたりするのを防ぐようにしている。
【０００６】
また、特許文献２では、携帯通信機器の筐体において、前面筐体と背面筐体にて内部モジュールを挟み込む構造を取らないことで、側面の分割面を大幅に削減し、落下や外力に対する側面強度を確保すると共に、緩衝材等を用いないので、部品点数が削減されている。
【特許文献１】特開２００３−２３００７５号公報
【特許文献２】特開２００５−１３０３２７号公報
【発明の開示】
【発明が解決しようとする課題】
【０００７】
しかしながら、液晶等表示部の周辺の強度向上ばかりがよい訳ではなく、緩衝材などを用いない場合、周辺部材の強度を高めすぎるとかえって外部から衝撃が加わると、繊細な表示部にクラックが発生するという問題がある。
【０００８】
本発明は、上記問題点に鑑み、外部から衝撃が加わっても表示部にクラックが発生しないような携帯通信機器のフレーム構造を提供することにある。
【課題を解決するための手段】
【０００９】
上記目的を達成するために、本発明では、マグネシウムダイキャスト製の補強フレームの表示部保持用リブに表示部を保持させた。
【００１０】
具体的には、第１の発明では、表示部を有する携帯通信機器を前提とする。
【００１１】
そして、上記表示部が露出する表示用窓部を表面側筐体に有する表裏分割式の表示用筐体を備え、
上記表示用筐体の裏面側筐体の内面に接するようにマグネシウムダイキャスト製の補強フレームが設けられ、
上記補強フレームは、上記表示部を収容する表示部収容凹部を有し、
上記表示部は、上記補強フレームの表示部収容凹部の側壁に係止するための係止爪を外周に有する表示用パネルと、該表示用パネル裏面側に取り付けられた表示用基板とを備え、
上記補強フレームの長手方向中間部には、上記表示部収容凹部の底面から表面側に突出し、幅方向に延びる表示部保持用リブが設けられ、
上記表示用パネルが上記係止爪で上記補強フレームに係止された状態で、上記表示部が表示部保持用リブに当接している。
【００１２】
上記の構成によると、表示部は、剛性の高い補強フレームに表示用パネルの係止爪及び表示部保持用リブにおいて保持され、補強フレームの表示部収容凹部の底面から適度に隙間を空けて保持されているので、外部から衝撃が加わっても補強フレームに守られて表示部に衝撃が伝達しがたいので、クラックが発生しない。また、剛性を増すために補強フレームを搭載しても、補強フレームは、マグネシウムダイキャスト製であって軽量であるので、表示用筐体の容積は大きく増さず、軽量となる。さらに、表示部保持用リブは、肉厚の薄いリブで済むので、軽量であり、表示用筐体の容積は大きく増さず、軽量となる。なお、表示部としては、液晶表示部や有機ＥＬ表示部等がある。
【００１３】
第２の発明では、上記表示部は、上記表示部保持用リブにその幅方向両端部において当接している。
【００１４】
上記の構成によると、外部から筐体に衝撃が加わっても、表示部保持用リブから外部からの力が表示部の中央部に直接伝わらないので、表示部にクラックが発生しない。
【００１５】
第３の発明では、上記表示部保持用リブは、補強フレームの長手方向から見て弧形状である。
【００１６】
上記の構成によると、外部からの力が表示部の中央部に直接伝わらないような表示部保持用リブが容易に形成される。
【００１７】
第４の発明では、上記表示部は、液晶表示部とする。
【００１８】
上記の構成によると、液晶表示部は、衝撃等に弱く、本発明の表示部保持用リブにより効果的に保護される。
【００１９】
第５の発明では、上記表示部は、有機ＥＬ表示部とする。
【００２０】
上記の構成によると、有機ＥＬ表示部は、バックライトを必要とせず、薄型とすることができるので、携帯性が向上する。また、有機ＥＬ表示部は、素子移動が極めて速く、動画の表示に強い上、明るく視野角が広いことから利便性が向上する。
【００２１】
第６の発明では、上記有機ＥＬ表示部は、低分子系材料で構成されている。
【００２２】
上記の構成によると、低分子系材料は、効率が高く寿命が長いので、携帯通信機器に適する。
【００２３】
第７の発明では、上記有機ＥＬ表示部は、高分子系材料で構成されている。
【００２４】
上記の構成によると、高分子系材料は、インクジェット印刷等による塗布が可能であり、生産性が高い。
【００２５】
第８の発明では、上記表示部の表示用パネルと反対側には、サブ表示用パネルが設けられ、
上記補強フレームの表示部収容凹部の底面にフレーム側サブ表示用窓部が形成されると共に、上記裏面側筐体に筐体側サブ表示用窓部が形成され、該筐体側サブ表示用窓部から上記サブ表示用パネルが露出している。
【００２６】
上記の構成によると、表示部の裏面側にサブ表示用パネルが設けられていても、このサブ表示用パネルも剛性の高い補強フレームに保護されているので、外部から衝撃が加わっても表示部及びサブ表示用パネルにクラックが発生しない。
【００２７】
第９の発明では、上記補強フレームの長手方向一方側にフレーム側サブ表示用窓部が設けられ、上記表示部保持用リブを挟んで反対側にスピーカを収容するためのスピーカ収容用窓部が形成されている。
【００２８】
上記の構成によると、表示部とスピーカとに挟まれた位置に表示部保持用リブが配置される。
【００２９】
第１０の発明では、上記サブ表示用パネルは、有機ＥＬで構成されている。
【００３０】
上記の構成によると、サブ表示用パネルは、一般的に補助的な小さな画面として用いられるので、モノカラーとしてもよく、そのような場合、有機ＥＬにより、電話番号等が鮮明に表示される。また、有機ＥＬは、バックライトを必要としないので、設置位置の自由度が高い。
【００３１】
第１１の発明では、携帯通信機器は、携帯電話機とする。
【００３２】
上記の構成によると、携帯電話機は、携帯性向上のためにサイズが小さくなる一方、画面の見やすさ向上のために表示部の画面も大きくなってきているが、表示部保持用リブにより、外部から衝撃が加わっても表示部にクラックが発生しない。また、補強フレームにより、軽量で、小さな携帯電話機の設計が可能になる。
【００３３】
第１２の発明では、折畳み式携帯電話機であり、
上記表示用筐体と、操作ボタンが設けられた他方の筐体とが折畳み開閉自在に構成されている。
【００３４】
上記の構成によると、折畳み式携帯電話機が開いた状態で落下等により外部から衝撃が加わっても、表示部保持用リブにより、表示部にクラックが発生しない。また、補強フレームにより、軽量で、小さな薄い折畳み式携帯電話機の設計が可能になる。
【発明の効果】
【００３５】
以上説明したように、本発明によると、表示用筐体の強度向上に繋がり、且つ、強度の弱い表示部への衝撃の影響が減少するため、表示部の周辺に緩衝材を設ける必要もなく、軽量で、小さな製品設計が可能になる。
【００３６】
また、表示部として有機ＥＬ表示部を使用することにより、製品の薄型化、表示部の鮮明度等が向上し、商品価値を極めて高めることができる。
【発明を実施するための最良の形態】
【００３７】
以下、本発明の実施形態を図面に基づき説明する。
【００３８】
図１は、本発明の実施形態に係る携帯通信機器としての折畳み式携帯電話機１の開いた状態を右方向から見た斜視図である。図２は、携帯電話機１の閉じた状態を右方向から見た斜視図である。
【００３９】
図１乃至図４に示すように、本実施形態の携帯電話機１は、表示用筐体としての第１の筐体２と、他の筐体としての第２の筐体３とを有し、これらがヒンジ部５によって回転可能に結合されている。
【００４０】
上記第１の筐体２は、表面側筐体２ａと裏面側筐体２ｂとの表裏分割式に構成されている。表面側筐体２ａには、表示部としての液晶表示部４及び受話部６が設けられ、裏面側筐体２ｂには、サブ表示用パネルとしてのサブ液晶表示部１０、オーディオボタン１１、飾り窓１４等が設けられている。
【００４１】
上記第２の筐体３には、送話部７、情報入力ボタン８、機能ボタン９等が、裏面側には、カメラ部２２、電池蓋２８等がそれぞれ設けられている。
【００４２】
図４に示すように、上記表面側筐体２ａは、液晶表示部４が露出する表示用窓部２ｃを有している。
【００４３】
上記裏面側筐体２ｂには、筐体側サブ表示用窓部２ｄが形成されている。この裏面側筐体２ｂの内面には、補強フレームとしてのマグネシウムダイキャスト製マグネシウムフレーム１６が設けられている。
【００４４】
図５は、図４に示すマグネシウムフレーム１６の裏面の斜視図である。マグネシウムフレーム１６は、ＡＺ９１Ｄを材料にしており、軽量で且つ強度が非常に強く、捩れにも強いので、肉厚も薄く成形されている。マグネシウムフレーム１６には、上記液晶表示部４を収容する表示部収容凹部１６ａが設けられている。この表示部収容凹部１６ａの底面にサブ液晶表示部１０を露出するフレーム側サブ表示用窓部２４が設けられている。このことで、フレーム側サブ表示用窓部２４及び筐体側サブ表示用窓部２ｄから上記サブ液晶表示部１０が露出している。
また、上下方向中央には、オーディオボタン１１を露出するスイッチ窓２５が設けられ、上部（図５では右下）にはスピーカ１９を露出するスピーカ収容用窓部２６が開けられている。
【００４５】
図４に示すように、上記液晶表示部４は、上記マグネシウムフレーム１６の表示部収容凹部１６ａの側壁に係止するための係止爪３０ａを外周に有する表示用パネルとしての液晶パネル３０と、この液晶パネル３０裏面側に取り付けられた表示用基板１７とを備えている。液晶表示部４の液晶パネル３０と反対側には、上記サブ液晶表示部１０が設けられている。
【００４６】
そして、図５に示すように、上記マグネシウムフレーム１６の長手方向中間部には、幅方向に延びる表示部保持用リブ２３が設けられている。上記液晶パネル３０は、係止爪３０ａで上記マグネシウムフレーム１６に係止されると共に、上記表示部保持用リブ２３に当接している。つまり、表示部保持用リブ２３は、マグネシウムフレーム１６の長手方向から見て弧形状であり、表示部収容凹部１６ａから表面側へ突出し、上下方向から見たときに左右中央部が最も低く、左右端部が最も高くなるように、円弧状に中央部が低くなっている。このことで、液晶表示部４（表示用基板１７）は、上記表示部保持用リブ２３にその幅方向両端部において当接している。
【００４７】
図６は、図３のVI−VI線断面図である。図６において、表示用基板１７の表面側（図では下側）上に液晶パネル３０及びバックライト３３が搭載され、マグネシウムフレーム１６に液晶パネル３０の係止爪３０ａによって結合されている。これを表面側筐体２ａと裏面側筐体２ｂとでサンドイッチ状態で挟み込んだ状態で、図４に示すビス２７で結合されている。両側面からは、結合強度向上と飾りとして右側サイドキャビネット２０及び左側サイドキャビネット２１が組み込まれている。裏面側筐体２ｂの表面には、飾りカバー１２が両面テープによって貼り付けられ、防塵と防水と液晶パネル３０の端部隠蔽の役目をしている。
【００４８】
−第１の筐体の組立手順−
次に、上記第１の筐体２の組立手順について図４を用いて説明する。
【００４９】
裏面側筐体２ｂに表より飾りカバー１２と飾り１３と飾り窓１４とを貼り付け、側面から右側サイドキャビネット２０及び左側サイドキャビネット２１を取付用爪２９により嵌合して組み立てる。
【００５０】
次いで、裏面側よりオーディオボタン１１及び音漏れ防止カバー１５を貼り付ける（組品Ａ１）。
【００５１】
次いで、表面側筐体２ａにスピーカ１９を仮固定しておく（組品Ａ２）。
【００５２】
予め表示用基板１７には、裏面側にスイッチ（図示せず）、サブ液晶表示部１０等を、表面側に液晶パネル３０（図６に示す）等をそれぞれ搭載し、基板組品としておく。この基板組品となった表示用基板１７とマグネシウムフレーム１６とを液晶パネル３０の係止爪３０ａによって仮結合する（組品Ａ３）。
【００５３】
上記組品Ａ１，Ａ２，Ａ３を組み立て、ビス２７で結合することにより、第１の筐体２が完成する。
【００５４】
−分銅落下テスト−
分銅落下テストとして、直径２１ｍｍ、高さ３９ｍｍの円柱形の鉄製の重り約１００ｇを１ｍの高さから液晶パネル３０に落下するものを行った。
【００５５】
図７及び図８に比較例１としてのマグネシウムフレーム１１６を示す。実施形態のマグネシウムフレーム１６との相違点は、表示部保持用リブ２３がないことのみである。
【００５６】
また、図９、図１０に比較例２としてのマグネシウムフレーム２１６を示す。実施形態のマグネシウムフレーム１６との相違点は、表示部保持用リブ２２３の形状が異なり、マグネシウムフレーム１６の長手方向から見て長細い矩形状である点にある。
【００５７】
以下にその結果を示すと、
本実施形態のマグネシウムフレーム１６を使用した場合：液晶パネル３０、表示用基板１７の破壊なし
比較例１のマグネシウムフレーム１６を使用した場合：液晶パネル３０が破壊された
比較例２のマグネシウムフレーム１６を使用した場合：表示用基板１７が破壊された
これらの結果から、本実施形態の表示部保持用リブ２３の形状が最適であることがわかった。
【００５８】
−実施形態の効果−
したがって、本実施形態に係る携帯電話機１によると、マグネシウムフレーム１６の表示部保持用リブ２３により、第１の筐体２の強度向上に繋がり、且つ、強度の弱い液晶表示部４への衝撃の影響が減少するため、液晶表示部４の周辺に緩衝材を設ける必要もなく、軽量で、小さな製品設計が可能になる。
【００５９】
（その他の実施形態）
本発明は、上記実施形態について、以下のような構成としてもよい。
【００６０】
すなわち、上記実施形態では、表示部を液晶表示部としているが、有機ＥＬ表示部でも構わない。このことで、有機ＥＬ表示部は、バックライト３３を必要とせず、薄型とすることができ、携帯性が向上する。また、有機ＥＬ表示部は、素子移動が極めて速く、動画の表示に強い上、明るく視野角が広いことから利便性が向上する。
【００６１】
また、有機ＥＬ表記部を低分子材料で構成してもよい。この場合には、低分子系材料は、効率が高く寿命が長いので、携帯通信機器に適している。
【００６２】
また、有機ＥＬ表示部を高分子系材料で構成してもよい。この場合には、高分子系材料は、インクジェット印刷等による塗布が可能であり、生産性を高めることができる。
【００６３】
このように、表示部として有機ＥＬ表示部を使用することにより、製品の薄型化、表示部の鮮明度等が向上し、商品価値を極めて高めることができる。
【００６４】
上記実施形態では、サブ液晶表示部１０を設けているが、このサブ液晶表示部１０はなくてもよい。また、サブ表示用パネルとしてのサブ液晶表示部１０は、有機ＥＬ表示部でも構わない。このとき、サブ表示用パネルは、一般的に補助的な小さな画面として用いられるので、モノカラーとしてもよく、そのような場合、有機ＥＬにより、電話番号等が鮮明に表示することができる。また、有機ＥＬは、バックライト３３を必要としないので、設置位置の自由度を高めることができる。
【００６５】
上記実施形態では、携帯通信機器として折畳み式携帯電話機の例を示したが、折畳み可能でなくてもよく、また、携帯可能なＰＨＳ、ＰＣ、モバイルツール等でも本発明は適用可能である。
【００６６】
なお、以上の実施形態は、本質的に好ましい例示であって、本発明、その適用物や用途の範囲を制限することを意図するものではない。
【産業上の利用可能性】
【００６７】
以上説明したように、本発明は、携帯電話機等の液晶表示部や有機ＥＬ表示部を有する携帯通信機器について有用である。
【図面の簡単な説明】
【００６８】
【図１】本発明の実施形態に係る携帯電話機の開いた状態を示す右方向からの斜視図である。
【図２】携帯電話機の閉じた状態を示す右方向からの斜視図である。
【図３】携帯電話機の開いた状態を示す左方向からの斜視図である。
【図４】第１の筐体部分を分解した携帯電話機の斜視図である。
【図５】マグネシウムフレームの形状を示す斜視図である。
【図６】図３におけるIV−IV線断面図である。
【図７】比較例１のマグネシウムフレームの形状を示す斜視図である。
【図８】比較例１の図６相当図である。
【図９】比較例２のマグネシウムフレームの形状を示す斜視図である。
【図１０】比較例２の図６相当図である。
【符号の説明】
【００６９】
１      携帯電話機（携帯通信機器）
２      第１の筐体（表示用筐体）
２ａ    表面側筐体
２ｂ    裏面側筐体
２ｃ    表示用窓部
２ｄ    筐体側サブ表示用窓部
３      第２の筐体（他の筐体）
４      液晶表示部（表示部）
８      情報入力ボタン（操作ボタン）
９      機能ボタン（操作ボタン）
１０      サブ液晶表示部（サブ表示用パネル）
１６      マグネシウムフレーム（補強フレーム）
１６ａ    表示部収容凹部
１７      表示用基板
１９      スピーカ
２３      表示部保持用リブ
２４      フレーム側サブ表示用窓部
２６      スピーカ収容用窓部
３０      液晶パネル（表示用パネル）
３０ａ    係止爪
１１６      マグネシウムフレーム
２１６      マグネシウムフレーム
２２３      表示部保持用リブ
【図１】
0004547322.tif 000002
【図２】
0004547322.tif 000003
【図３】
0004547322.tif 000004
【図４】
0004547322.tif 000005
【図５】
0004547322.tif 000006
【図６】
0004547322.tif 000007
【図７】
0004547322.tif 000008
【図８】
0004547322.tif 000009
【図９】
0004547322.tif 000010
【図１０】
0004547322.tif 000011